(57)【要約】【課題】  光カプラモジュールの何れのアダプタへの光コード接続操作であっても作業し易く、また配線路を確保し易い光配線盤を提供する。【解決手段】  光カプラモジュール８は箱状に形成されて左右双方の側面にジャンパ光コード７を接続する接続ポート９を備え、前方に向けて傾斜させて配置し、光カプラモジュール８に接続するジャンパ光コード７を固定する光コード固定部材１０を、光カプラモジュール８の左右にカプラモジュールの傾斜に合わせて配設した。また、光カプラモジュール８の直下に光カプラモジュール８に接続するジャンパ光コード７の余長分を収容する余長収容棚１１を配置した。【選択図】  図２
2008032844.tif 000002
【特許請求の範囲】
【請求項１】
少なくとも光カプラが組み込まれた光カプラモジュールと光成端箱とを有し、光コードを分岐接続するための光配線盤であって、
前記光カプラモジュールは、箱状に形成されて左右双方の側面に光コードを接続する接続ポートを備え、前方に３０〜６０°の下り傾斜を設けて配置される一方、前記光カプラモジュールの直下に光カプラモジュールに接続する光コードの余長分を収容する余長収容棚を配置したことを特徴とする光配線盤。
【請求項２】
余長収容棚は、光コードを載置する平坦な載置面を有する収容板と、その前面に起立配置される前面板とから成り、前面板は前方に傾倒可能に前記収容板に軸着され、傾倒することで前記収容板を開放する請求項１記載の光配線盤。
【請求項３】
光カプラモジュールに接続する光コードを固定する光コード固定部材を、光カプラモジュールの左右に、光カプラモジュールの接続ポート列に合わせて傾斜配置した請求項１又は２記載の光配線盤。
【発明の詳細な説明】
【技術分野】
【０００１】
本発明は、導入した光ケーブルから延ばした個々の光コードを光カプラを介して分岐し、各家庭や構内等に配設する光配線盤に関する。
【背景技術】
【０００２】
光ケーブル等により配設された複数の光コードを分岐する場合光カプラが使用される。このような場合に使用される光カプラは一括して箱状の光カプラモジュール内に組み込まれ、分岐する光コードを接続したり分岐後の光コードを接続する接続ポートが光カプラモジュールの壁面に設けられ、個々の光コードを接続する構成となっている。そして、このような光カプラモジュールが光配線盤に組み込まれて導入された光ケーブルの個々の光コードが分岐接続される（例えば、特許文献１参照）。
【特許文献１】特開２００４−１２６４８１号公報
【発明の開示】
【発明が解決しようとする課題】
【０００３】
しかし、上記従来の構成の光カプラモジュールは水平に組み込まれるため、手前に配置された接続ポートへの接続は容易に実施できるが奥側の接続ポートへの接続がし辛かったし、光コードの配線スペースや余長収容スペースが十分に確保されていないため、煩雑に空きスペースに収容され、結果的に配線長が長くなってしまっていた。
そこで、本発明はこのような問題点に鑑み、光カプラモジュールの何れの部位の接続ポートへの接続操作であっても作業し易く、また配線路を確保し易い光配線盤を提供することを目的とする。
【課題を解決するための手段】
【０００４】
上記課題を解決する為に、請求項１の発明は、少なくとも光カプラが組み込まれた光カプラモジュールと光成端箱とを有し、光コードを分岐接続するための光配線盤であって、前記光カプラモジュールは、箱状に形成されて左右双方の側面に光コードを接続する接続ポートを備え、前方に３０〜６０°の下り傾斜を設けて配置される一方、前記光カプラモジュールの直下に光カプラモジュールに接続する光コードの余長分を収容する余長収容棚を配置したことを特徴とする。
この構成により、光カプラモジュールの光コード接続部が奥側であっても前方から見やすく、配線作業がし易い。また、直下に専用の余長収容棚を有するので、余長処理がし易いし、配線を識別がし易くメンテナンスもし易い。
【０００５】
請求項２の発明は、請求項１に記載の発明において、余長収容棚は、光コードを載置する平坦な載置面を有する収容板と、その前面に起立配置される前面板とから成り、前面板は前方に傾倒可能に前記収容板に軸着され、傾倒することで前記収容板を開放することを特徴とする。
この構成により、配線作業時は前面板を傾倒することで作業し易いし、その後は起立させることで、光コードがはみ出すことがないし美観上も好ましい。
【０００６】
請求項３の発明は、請求項１又は２に記載の発明において、光カプラモジュールに接続する光コードを固定する光コード固定部材を、光カプラモジュールの左右に、光カプラモジュールの接続ポート列に合わせて傾斜配置したことを特徴とする。
この構成により、光カプラモジュールの個々の接続ポートへ接続する光コードの配線ルートを均等に確保でき、接続部位に関係なく長さ及びストレスを均一にできる。
【発明の効果】
【０００７】
本発明によれば、光カプラモジュールの接続ポートが奥側であっても前方から見やすく、配線作業がし易い。また、直下に専用の余長収容棚を有するので、余長処理がし易いし、配線の識別もし易くなりメンテナンスがし易い。
また、光コード固定部材を光カプラモジュールの左右に光カプラモジュールの傾斜に合わせて配設するので、個々の接続ポートへの光コードの配線ルートを均等に確保でき、接続部位に関係なく長さ及びストレスを均一にできる。
【発明を実施するための最良の形態】
【０００８】
以下、本発明を具体化した実施の形態を、図面に基づいて詳細に説明する。図１、図２は本発明に係る光配線盤の一例を示し、図１は透視図で示した正面説明図、図２はＡ−Ａ線断面図を示している。
図において、１は光配線盤内に引き込む光ケーブル、２は引き込んだ光ケーブル１のテンションメンバ３を固定するテンションメンバ固定部、４は光ケーブル１から引き出された光コード５の余長分を収容する下部余長収容棚、６は光ケーブル１から引き出した光コード５を成端してジャンパ光コード７と接続するための光成端箱、８は光カプラを収納した箱状の光カプラモジュール、９は光カプラモジュール８の左右側面に設けられたジャンパ光コード（光コード）７を接続するための接続ポート、１０は光コード固定部材、１１は光カプラモジュール８に接続するジャンパ光コード７の余長分を収納する上部余長収容棚である。尚、１３は光配線盤を取り付ける電柱等の支柱を示している。
【０００９】
光配線盤のケースは前面が開口した本体１５と、本体１５前面を閉塞する扉板１６から成り、本体１５に各部材が組み付けられ、下からテンションメンバ固定部２、下部余長収容棚４、光成端箱６、上部余長収容棚１１、光カプラモジュール８が組み付けられている。下部余長収容棚４は、左右側方に空間を設けて光コード５の上下方向の配設がし易いよう配置され、上部余長収容棚１１は、光コードを載置する平坦な載置面を有する収容板１１ａと、前面を閉塞する前面板１１ｂとを有し、前方寄りに配置されて後部に光コード配設空間が設けられている。また、前面板１１ｂは、前方に傾倒可能に下部が収容板１１ａに軸着されている。
【００１０】
光成端箱６は、分岐接続する光コード５の数に応じて重ねて収容される。但し、前方にスライド可能に収容されると共に、各光成端箱６は後部に支点を有して前方から開放操作が可能に構成され、作業時は前方にスライドさせると共に作業する光成端箱６を開けて作業することが可能となっている。
【００１１】
そして、光カプラモジュール８は前方に向けて４５°の下り傾斜を有するよう組み付けられ、左右側面に配設された接続ポート９は、斜めに配設されている。
また、光コード固定部材１０は、光カプラモジュール８の左右において、一段下がった位置に接続ポート９の列に平行に４５°の傾斜を有して設置されている。この光コード固定部材１０は、接続ポート９に接続する光コード（ジャンパ光コード７）を保持するためのもので、ゴムや軟質プラスチック等の弾性を有する部材で形成されたコード把持部を有し、接続ポート９の数に合わせて複数設けらている。
【００１２】
このように形成された光配線盤は、次のように光ケーブル１及び光コード５が配設され分岐接続される。光ケーブル１は、本体１５底面に穿設された導入孔から導入され、導入孔に隣接する本体内の底部に設置したテンションメンバ固定部２に個々のテンションメンバ３が固定される。そして、導入された光ケーブル１は、内部の複数の光コード５が引き出されてテンションメンバ固定部２の上部に配置された光成端箱６に配設され、ジャンパ光コード７と接続される。このとき、光コード５の余長分は下部余長収容棚４に収容される。
【００１３】
そして、ジャンパ光コード７は、余長分が上部余長収容棚１１に収容されて最上部に配置された光カプラモジュール８に接続される。余長分の収容操作は、上部余長収容棚１１の前面板１１ｂを傾倒して収容板１１ａを開放することでスムーズに行うことができる。
また、光カプラモジュール８の接続ポート９へのジャンパ光コード７の接続は、直前で最寄りの光コード固定部材１０に固定して行われる。
【００１４】
このように、光カプラモジュールを傾斜させて設置するので、光コード接続部が奥側であっても前方から見やすく、配線作業がし易い。また、直下に専用の余長収容棚を有するので、余長処理がし易いし配線を識別し易くなり、メンテナンスがし易くなる。
また、光カプラモジュールの配線作業時は前面板を傾倒することで余長収容作業がし易いし、終了後は起立させることで、光コードがはみ出すことがないし美観上も好ましい。
更に、光カプラモジュールの接続ポート位置に合わせて光コード固定部材を設けたので、個々のポートへの光ケーブル配線ルートを均等に確保でき、接続部位に関係なく長さ及びストレスを均一にできる。
【００１５】
尚、上記実施形態では、光カプラモジュール８を４５°傾斜させているが、この角度は光カプラモジュール８の奥行きや収納スペースにより変更することができる。但し、傾斜を急にすると広い設置空間を必要とするし、光コード固定部材１０への固定操作がし辛くなるし、緩やかにすると奥側の接続がし辛い状態が残る。そのため、３０〜６０°傾斜させるのが好ましい。
また、上部余長収容棚１１は取り外すことができ、上下方向の光コードの配線がし易くなっている。また、光カプラーモジュール８を複数備えた光配線盤の場合は、光カプラモジュール８毎に余長収容棚１１を設置するのが好ましい。
【図面の簡単な説明】
【００１６】
【図１】本発明に係る光配線盤の実施形態の一例を示す正面透視図である。
【図２】図１のＡ−Ａ線断面図である。
【符号の説明】
【００１７】
１・・光ケーブル、５・・光コード、６・・光成端箱、７・・ジャンパ光コード、８・・光カプラモジュール、９・・接続ポート、１０・・光コード固定部材、１１・・上部余長収容棚（余長収容棚）、１１ａ・・収容板、１１ｂ・・前面板。
【図１】
2008032844.tif 000003
【図２】
2008032844.tif 000004